(57)【特許請求の範囲】
【請求項１】
可撓性のシートに刺し通す断面円形の先鋭な突起を円形基板の中央部に突出した合成樹脂製のリベット部材と、雌型嵌合部を環状基板の中央部に備えた合成樹脂製の雌型嵌合体とによる雌スナップと、可撓性のシートに刺し通す断面円形の先鋭な突起を円形基板の中央部に突出した合成樹脂製のリベット部材と、前記雌型嵌合部に係止する雄型嵌合部を円形基板の中央部に備えた合成樹脂製の雄型嵌合体とによる雄スナップとから成り、かつ、前記雌雄の嵌合体の中央部に、前記シートに刺し通した突起を貫通させてカシメ止めするための貫通孔を形成する一方、前記リベット部材の突起の突出基部まわりの面部と、前記雌雄の嵌合体の突起基部まわりに相対峙する面部の少なくとも一方に、突起によって押し拡げられたシートが入り込む環状の凹溝を形成して成ることを特徴とするスナップファスナー。
【発明の詳細な説明】
【０００１】
【発明の属する技術分野】
本発明は、雌雄のスナップから成る合成樹脂製のスナップファスナーに関する。
【０００２】
【従来の技術】
上記スナップファスナーの例えば雄スナップは、図６に示すように、可撓性のシート（例えば、衣服の生地）７に刺し通す突起１０を円形基板８の中央部に突出したリベット部材３と、図示しない雌型嵌合部に係止する雄型嵌合部１５を円形基板１４の中央部に備えた雄型嵌合体４との組み合わせから成り、かつ、前記雄型嵌合体４の円形基板１４の中央部には、前記リベット部材３の突起１０を貫通させるための貫通孔１３を形成している。
【０００３】
上記の可撓性シート７に対する雄スナップ１の取り付けに際しては、例えばリベット部材３を固定ダイスにセットし、雄型嵌合体４を昇降ダイスにセットして、リベット部材３の突起１０を可撓性のシート７に刺し通すように、雄型嵌合体４を打ち降ろし、実質的にリベット部材３の突起１０をシート７の片側から打ち込んで、この突起１０を雄型嵌合体４の貫通孔１３に挿通させ、かつ、突起１０の突出先端部を打撃によりカシメて、突起先端を拡開変形させるのである。
【０００４】
これによって、雄スナップ１の円形基板８，１４が、その周部と突起１０まわりとでシート７を挟着することで、雄スナップ１が可撓性のシート７に取り付けられるのである。
【０００５】
図示はしないが、雌スナップも、可撓性のシートに刺し通す突起を円形基板の中央部に突出したリベット部材と、環状基板の中央部に雌型嵌合部を連設した雌型嵌合体との組み合わせから成り、かつ、雌型嵌合部の底壁中央部には、突起挿通用の貫通孔が形成されていて、上記した雄スナップと同様の手段でシートに取り付けられるようになっている。
【０００６】
【発明が解決しようとする課題】
ところで、上記シートに取り付けられたスナップは、これに何らかの拍子で回転力が加わった際に、突起まわりで簡単に回転してしまうことがあり、例えば衣服のデザインやファッション性をアップさせることを意図して、スナップ表面に装飾を施した場合、その装飾に意図した方向性を維持させたいにも拘らず、スナップが回転してしまうことで見栄えが悪くなり、却って衣服のデザイン性やファッション性を損なうことがあった。
【０００７】
また、雌雄のスナップを嵌合させた状態で、このスナップを取り付けたシートを引き離すように引っ張った際には、スナップがシートの面方向に位置ずれすることもあった。
【０００８】
本発明者は、この原因について追求したところ、スナップによるシートの挟着力が、スナップの周部と中央部とでは大きく異なっていることを知るに至ったのである。
【０００９】
即ち、前記シート７に対する雄スナップ１の取り付けに際して、前記貫通孔１３に対する突起１０の挿通状況について考察したところ、シート（生地）７によっては、突起１０がシート７を貫通する際、突起１０によってシート７の一部が切り取られて貫通孔１３外に押し出されるケースと、突起１０がシート７の繊維間隙を押し拡げるようにしてシート７を貫通するケースとがあり、後者の場合、図５に示すように、突起１０によって押し拡げられたシート７が緻密になりながら、突起１０まわりで厚みを増すように膨らみ変形し、突起先端をカシメた際には、図６に示すように、円形基板８，１４による突起１０まわりのシート部分７ａが、円形基板８，１４の周部によるシート部分７ｂに比べて、膨らみ変形した分、強く押し潰されて、シート部分７ａの挟着力が非常に強くなり、スナップの周部と中央部とでは、シート挟着力がアンバランスになっていることを知見したのである。
【００１０】
このように、スナップ周部でのシートの挟着力が弱いと、スナップ中央部でのシート挟着力が幾ら強くても、スナップ周部に回転力が加わった際には、これが軽い回転力であっても回転モーメントが大きくなることから、スナップが簡単に回転してしまうことが判明したのである。
【００１１】
また、スナップ周部でのシートの挟着力が弱いことから、雌雄のスナップを嵌合させた状態で、シート７を面方向に引っ張った際には、引っ張り側のシート部分７ｂが円形基板８，１４の周部から引き抜けるようになり、この結果、スナップがシートの面方向に位置ずれすることが判明したのである。
【００１２】
本発明は、かゝる実情に鑑みて成されたものであって、極めて簡単な改良技術によって、シートをスナップの周部と中央部とでバランスよく挟着できるようにし、上記の不都合を解消することを目的としている。
【００１３】
【課題を解決するための手段】
上記の課題を解決するために、本発明では、上記したスナップファスナーの雌雄のスナップにおいて、前記リベット部材の突起の突出基部まわりの面部と、前記雌雄の嵌合体の突起基部まわりに相対峙する面部の少なくとも一方に、突起によって押し拡げられたシートが入り込む環状の凹溝を形成した点に特徴がある。
【００１４】
上記の構成によれば、可撓性のシートに対するスナップの取り付けに際して、突起の先端がカシメられる前に、この突起の刺し通しによって押し拡げられて緻密に膨らみ変形したシート部分が、環状の凹溝に入り込むことから、シートがスナップの中央部で局部的に強く挟着されなくなり、シートはスナップの周部と中央部とでバランス良く挟着されることになる。
【００１５】
従って、スナップ周部でのシート挟着力が強くなることから、強い回転力が加わっても、スナップは簡単には回転しなくなり、かつ、スナップ周部からのシートの引き抜けも生じ難くなることで、位置ずれも生じ難くなるのである。
【００１６】
【発明の実施の形態】
以下、本発明の実施の形態を図面に基づいて説明する。図１は雄スナップ１と雌スナップ２との組み合わせによるスナップファスナーを示し、これら雌雄のスナップ１，２は、例えばポリアセタールなどの合成樹脂によって射出成形されるもので、図２にも示すように、雄スナップ１は、リベット部材３と雄型嵌合体４とから成り、雌スナップ２は、リベット部材５と雌型嵌合体６とから成り、それぞれ可撓性のシート（例えば衣服の生地）７に取り付けられる。
【００１７】
前記リベット部材３，５のそれぞれは、周縁の外肩部が丸みを帯びた皿状円形基板８，９のシート７側の中央部に、打撃によって先端部が拡径変形される断面円形の尖鋭な突起１０，１１を突出させ、この突起１０，１１の突出基部まわりの面部に環状凹溝１２を形成して成る。
【００１８】
また、前記雄型嵌合体４は、前記リベット部材３の突起１０を挿通させる貫通孔１３を、皿状の円形基板１４の中央部に形成すると共に、この円形基板１４の雌スナップ側（可撓性のシート７とは反対側）に、筒状の雄型嵌合部１５を、前記貫通孔１３と同芯状に連設し、かつ、この雄型嵌合部１５の端部外面に、雄型係止部ａを膨出させると共に、前記円形基板１４のシート側の面部に、放射状のリブｂとスパイクｃとを突出させて成る。
【００１９】
一方、前記雌型嵌合体６は、透孔ｄが形成された環状基板１６の周縁部に、シート挟着用の周壁１７を連設すると共に、この環状基板１６の中央部に、シート７側に凹入する遊底筒状の雌型嵌合部１８を連設し、かつ、この雌型嵌合部１８の端部内面に、前記雄型嵌合部１５の係止部ａを係止させる複数個の隆起部ｅを膨出させる一方、雌型嵌合部１８の底壁１８ａの中央部に、前記リベット部材５の突起１１を挿入する貫通孔１９を形成し、更に、前記底壁１８ａの周部にスパイクｆを突出させると共に、前記環状基板１６と周壁１７および雌型嵌合部１８の三者にわたっても補強用のリブｈを放射状に設けて成る。
【００２０】
これら雌雄のスナップ１，２の何れにおいても、前記リベット部材３，５の突起１０，１１を可撓性のシート７の片側から打ち込んで、突起１０，１１をシート７に刺し通し、かつ、この突起１０，１１を雌雄の嵌合体４，６の貫通孔１３，１９に挿通させて、突起先端を拡開変形させるように、この突起１０，１１の突出先端部を打撃によりカシメるのである。
【００２１】
これによって、雄スナップ１にあっては、それの円形基板８，１４が、その周部と突起１０まわりとでシート７を挟着することで、この雄スナップ１が可撓性のシート７に取り付けられるのであり、雌スナップ２にあっては、それの円形基板９の周部と周壁１７とがシート７を挟着し、かつ、前記円形基板９と雌型嵌合部１８の底壁１８ａとが、突起１１まわりでシート７を挟着することで、この雌スナップ２が可撓性のシート７に取り付けられるのである。
【００２２】
ここで、可撓性シート７に対する雌雄のスナップ１，２の取り付けに際して、可撓性シート７の種類によっては、前記突起１０，１１が可撓性のシート７に刺し通された際、突起１０，１１まわりのシート部分が膨らみ変形し、スナップ周部と中央部とでは、シート挟着力がアンバランスになって、シート挟着力がスナップ周部で弱くなることがあり、そのために、スナップが回転したり位置ずれしたりすることは既述した通りである。
【００２３】
しかし、本発明では、前記リベット部材３，５のそれぞれにおいて、それの突起１０，１１の突出基部まわりの面部に環状凹溝１２を形成して、上記の膨らみ変形したシート部分を、この環状凹溝１２に入り込ませるようにしているので、スナップ１，２の周部と中央部とにおいて、シート７をバランス良く挟着することができる。
【００２４】
従って、スナップ周部でのシート挟着力が強くなることから、強い回転力が加わっても、スナップ１，２は簡単には回転しなくなり、かつ、スナップ周部からのシート７の引き抜けも生じ難くなることで、スナップ１，２の位置ずれも確実に防止されることになる。
【００２５】
尚、上記の実施の形態では、環状凹溝１２をリベット部材３，５に形成しているが、図３に示すように、雌雄の嵌合体４，６に対して、それの突起基部まわりに相対峙する面部に環状凹溝１２を形成して、上記の膨らみ変形したシート部分を、この環状凹溝１２に入り込ませるようにしてもよいのであり、この際、図示はしないが、一方の例えば雄スナップ１のリベット部材３と、他方の雌スナップ２の雌型嵌合体６とに、環状凹溝１２を形成してもよいのである。
【００２６】
また、図４に示すように、雌雄のスナップ１，２のそれぞれにおいて、リベット部材３，５の突起１０，１１の突出基部まわりの面部と、雌雄の嵌合体４，６の突起基部まわりに相対峙する面部の両者に、環状凹溝１２，１２を浅く形成して、膨らみ変形したシート部分を、この環状凹溝１２，１２に半分ずつ入り込ませるようにしてもよいのである。
【００２７】
【発明の効果】
以上説明したように本発明は、可撓性のシートに対する突起の刺し通しによって、この突起まわりのシート部分が膨らみ変形し、この膨らみ変形したシート部分を挟着することが、スナップ周部でのシート挟着力を弱くしている点に着目して成されたものであって、リベット部材と雌雄の嵌合体の少なくとも一方に環状凹溝を形成して、この環状凹溝に上記のシート部分を入り込ませることで、シー
トをスナップ周部と中央部とでバランス良く挟着できるようにしたのであり、延いては、スナップ周部でのシート挟着力を強くできるようにしたのである。
【００２８】
これによってスナップは、強い回転力が加わっても簡単には回転しなくなり、かつ、スナップ周部からのシートの引き抜けも生じ難くなることから、位置ずれも生じ難くなり、特に、スナップ表面に装飾を施した場合、その装飾に意図した方向性を維持させ得ることから見栄えが良くなり、衣服のデザイン性やファッション性をアップさせることができる。
【図面の簡単な説明】
【図１】  雌雄のスナップによるスナップファスナーの断面図である。
【図２】  突起先端部をカシメる前の雌雄のスナップの断面図である。
【図３】  別の実施の形態によるスナップファスナーの断面図である。
【図４】  更に別の実施の形態によるスナップファスナーの断面図である。
【図５】  従来例の雄スナップの可撓性シートに対する突起の挿通状況を示す断面図である。
【図６】  従来例の雄スナップの断面図である。
【符号の説明】
１…雄スナップ、２…雌スナップ、３，５…リベット部材、４…雄型嵌合体、６…雌型嵌合体、７…可撓性のシート、８，９…リベット部材の円形基板、１０，１１…突起、１２…環状凹溝、１３，１９…貫通孔、１４…雄型嵌合体の円形基板、１５…雄型嵌合部、１６…環状基板、１８…雌型嵌合部。
【図１】
0003905637.tif 000002
【図２】
0003905637.tif 000003
【図３】
0003905637.tif 000004
【図４】
0003905637.tif 000005
【図５】
0003905637.tif 000006
【図６】
0003905637.tif 000007